(57)【要約】  フレキシブル電池は、第１の電極及び第２の電極を含む電極群と、第１の電極及び第２の電極にそれぞれ連結される一対の電極リードと、電極群を収容するハウジングと、を含むことができる。【選択図】図１
2021517722.tif 000002
【特許請求の範囲】
【請求項１】
フレキシブル電池であって、
第１の電極及び第２の電極を含む電極群と、
前記第１の電極及び第２の電極にそれぞれ連結される一対の電極リードと、
前記電極群を収容するハウジングと、
を含み、
前記電極リードは、前記電極群の第１の末端において前記第１の電極及び前記第２の電極にそれぞれ接続され、
前記第１の電極は、第１の集電体と、前記第１の集電体の表面に形成された第１の活物質層と、を含み、前記第２の電極は、第２の集電体と、前記第２の集電体の表面に形成された第２の活物質層と、を含み、
前記第１の活物質層は、前記第１の末端において前記第２の活物質層に対して第１の非対面部を有し、前記第１の末端の反対側である第２の末端において前記第２の活物質層に対して第２の非対面部を有し、
前記第１の非対面部の最短長さは、前記第２の非対面部の最短長さ以上である、フレキシブル電池。
【請求項２】
前記電極群を構成する第１の電極及び第２の電極のそれぞれを同じ極同士で連結する電極並列連結用タブをさらに含む、請求項１に記載のフレキシブル電池。
【請求項３】
前記電極並列連結用タブは、前記第２の末端に位置する、請求項２に記載のフレキシブル電池。
【請求項４】
前記電極群は、前記第１の末端において非固定となっており、前記第２の末端において前記電極並列連結用タブによって固定されている、請求項３に記載のフレキシブル電池。
【請求項５】
前記第１の非対面部は、前記フレキシブル電池が曲げられる場合に短くなる、請求項４に記載のフレキシブル電池。
【請求項６】
前記第１の非対面部は、前記フレキシブル電池が曲げられることによって短くなっても予め設定した閾値以上が残るように設計される、請求項５に記載のフレキシブル電池。
【請求項７】
前記第１の活物質層の厚さは、前記第２の活物質層の厚さよりも大きい、請求項１に記載のフレキシブル電池。
【請求項８】
前記第１の活物質層の面積は、前記第２の活物質層の面積よりも大きい、請求項１に記載のフレキシブル電池。
【請求項９】
前記第１の非対面部の最短長さと前記第２の非対面部の最短長さとが同一である場合、前記第１の非対面部の最短長さ及び前記第２の非対面部の最短長さは、予め設定された長さ値以上である、請求項１に記載のフレキシブル電池。
【請求項１０】
前記第１の活物質層は、前記電極群の両側面において前記第２の活物質層に対して第３の非対面部を有する、請求項９に記載のフレキシブル電池。
【請求項１１】
前記第１の非対面部の最短長さ及び前記第２の非対面部の最短長さは、前記第３の非対面部の最短長さ以上である、請求項１０に記載のフレキシブル電池。
【請求項１２】
フレキシブル電池を生成する方法において、
第１の電極及び第２の電極を含むように電極群を形成するステップと、
前記電極群の第１の末端において前記第１の電極及び前記第２の電極にそれぞれ接続されるよう一対の電極リードを連結するステップと、
前記電極群をハウジングに収容するステップと、
を含み、
前記第１の電極は、第１の集電体と、前記第１の集電体の表面に形成された第１の活物質層と、を含み、前記第２の電極は、第２の集電体と、前記第２の集電体の表面に形成された第２の活物質層と、を含み、
前記第１の活物質層は、前記第１の末端において前記第２の活物質層に対して第１の非対面部を有し、前記第１の末端の反対側である第２の末端において前記第２の活物質層に対して第２の非対面部を有し、
前記第１の非対面部の最短長さを前記第２の非対面部の最短長さ以上に設計するステップをさらに含む、フレキシブル電池生成方法。
【発明の詳細な説明】
【技術分野】
【０００１】
本発明は、フレキシブル電池及びフレキシブル電池を生成する方法に関する。
【背景技術】
【０００２】
二次電池（ｓｅｃｏｎｄａｒｙ  ｂａｔｔｅｒｙ）は、充電が不可能な一次電池とは異なり、充電及び放電が可能な電池を言うものであって、セルラーフォン、ノートパソコン、カムコーダなどの先端電子機器分野で広く使用されている。
【０００３】
最近は、フレキシブルディスプレイ、ウェアラブル（ｗｅａｒａｂｌｅ）携帯電話及び時計、着用型パーソナルコンピュータのようなフレキシブル電子機器を開発及び商用化するのに関心が集中されている。それに関し、電源供給装置である二次電池のフレキシブルな具現への要求も同時に増加している。
【０００４】
かかるフレキシブル環境においては、繰り返される曲げや拗じれなどによって外装材の破損及び内部電極の誤整列、離脱などによる短絡が発生し、発火乃至爆発の危険性があり、電極のエッジ部分からリチウムが析出されるといった問題が生じる。
【先行技術文献】
【特許文献】
【０００５】
【特許文献１】韓国特許公開公報第２０１６−００９０１０４号（２０１６年７月２９日付にて公開）
【発明の概要】
【発明が解決しようとする課題】
【０００６】
本発明は、フレキシブル電池を構成する電極群の両端に位置した第１の非対面部の最短長さを第２の非対面部の最短長さ以上に設計することによって、外力によるフレキシブル電池内でのリチウム析出及び短絡の問題を事前に防止することを目的とする。但し、本実施例が達成しようとする技術的課題は、上記したような技術的課題に限定されるものではなく、他の技術的課題が存在し得る。
【課題を解決するための手段】
【０００７】
上述した技術的課題を達成するための技術的手段として、本発明の第１の側面に係るフレキシブル電池は、分離膜を挟んで互いに異なる極性を有する第１の電極及び第２の電極がそれぞれ１つ以上含まれた電極群と、前記第１の電極のうち１つ及び第２の電極のうち１つにそれぞれ連結される一対の電極リードと、前記電極群を収容するハウジングと、を含み、前記一対の電極リードは、前記電極群のうち１つの第１の電極及び第２の電極と第１の末端においてそれぞれ接続され、前記第１の電極は、第１の集電体と、前記第１の集電体の表面に形成された第１の活物質層と、を含み、前記第２の電極は、第２の集電体と、前記第２の集電体の表面に形成された第２の活物質層と、を含み、前記第１の活物質層は、前記第１の末端において前記第２の活物質層に対して第１の非対面部を有し、前記第１の末端の反対側である第２の末端において前記第２の活物質層に対して第２の非対面部を有し、前記第１の非対面部の最短長さは、前記第２の非対面部の最短長さ以上であっても良い。
【０００８】
本発明の第２の側面に係るフレキシブル電池を生成する方法は、第１の電極及び第２の電極を含むように電極群を形成するステップと、前記電極群の第１の末端において前記第１の電極及び前記第２の電極にそれぞれ接続されるよう一対の電極リードを連結するステップと、前記電極群をハウジングに収容するステップと、を含み、前記第１の電極は、第１の集電体と、前記第１の集電体の表面に形成された第１の活物質層と、を含み、前記第２の電極は、第２の集電体と、前記第２の集電体の表面に形成された第２の活物質層と、を含み、前記第１の活物質層は、前記第１の末端において前記第２の活物質層に対して第１の非対面部を有し、前記第１の末端の反対側である第２の末端において前記第２の活物質層に対して第２の非対面部を有し、前記第１の非対面部の最短長さは、前記第２の非対面部の最短長さ以上であっても良い。
【０００９】
上述した課題を解決するための手段は、単なる例示であり、本発明を制限する意図で解釈されてはならない。上述した例示的な実施例の他にも、図面及び発明の詳細な説明に記載された追加の実施例が存在し得る。
【発明の効果】
【００１０】
上述した本発明の課題を解決するための手段の何れか１つによれば、本発明は、フレキシブル電池の両端に位置した第１の非対面部の最短長さを第２の非対面部の最短長さ以上に設計することによって、外力によるフレキシブル電池の短絡の問題を事前に防止することができる。
【００１１】
また、本発明は、電極リード連結用タブ及び電極並列連結用タブが同時に備えられた電極の形状と積層構造により電池の柔軟性を向上させることができ、外力によるフレキシブル電池内でのリチウム析出及び内部短絡の危険を事前に遮断することができるので、電池使用の安全性までも確保することができる。
【図面の簡単な説明】
【００１２】
【図１】本発明の一実施例に係る、フレキシブル電池の電極群を示す図である。
【００１３】
【図２】本発明の一実施例に係る、フレキシブル電池の電極分解図を示す図である。
【図３】本発明の一実施例に係る、フレキシブル電池の電極分解図を示す図である。
【００１４】
【図４ａ】本発明の一実施例に係る、電極群の構造を説明するための図である。
【図４ｂ】本発明の一実施例に係る、電極群の構造を説明するための図である。
【００１５】
【図５】本発明の一実施例に係る、フレキシブル電池の生成条件を説明するための図である。
【００１６】
【図６】本発明の一実施例に係る、フレキシブル電池を生成する方法を示すフローチャートである。
【発明を実施するための形態】
【００１７】
以下では、添付した図面を参照しながら、本発明の属する技術分野において通常の知識を有する者が容易に実施できるように本発明の実施例を詳しく説明する。ところが、本発明は様々な異なる形態に具現されることができ、ここで説明する実施例に限定されるものではない。そして、図面において、本発明を明確に説明するために、説明とは関係ない部分は省略しており、明細書全体に亘って類似した部分に対しては類似した図面符号を付けている。
【００１８】
明細書全体において、ある部分が他の部分と「連結」されているという場合、これは「直接的に連結」されている場合だけでなく、その中間に他の素子を挟んで「電気的に連結」されている場合も含む。また、ある部分がある構成要素を「含む」という場合、これは、特に反対の記載がない限り、他の構成要素を除くのではなく、他の構成要素をさらに含み得ることを意味する。
【００１９】
本明細書において「部」とは、ハードウェアによって実現されるユニット（ｕｎｉｔ）、ソフトウェアによって実現されるユニット、両方を利用して実現されるユニットを含む。また、１つのユニットが２つ以上のハードウェアを利用して実現されても良く、２つ以上のユニットが１つのハードウェアによって実現されても良い。
【００２０】
本明細書において、端末又はデバイスが行うと記述された動作や機能のうち一部は、当該端末又はデバイスと連結されたサーバにおいて代わりに行われても良い。それと同様に、サーバが行うと記述された動作や機能のうち一部も、当該サーバと連結された端末又はデバイスにおいて行われても良い。
【００２１】
以下、添付された構成図又はフローチャートを参照しながら、本発明を実施するための具体的な内容を説明することとする。
【００２２】
図１乃至図３を参照しながら、本発明に係る電極群の各末端に位置した非対面部間の最短長さを設計することによって、リチウム析出の予防及び電池使用上の安全性を向上させたフレキシブル電池の一実施例を説明する。
【００２３】
フレキシブル電池は、分離膜３０を挟んで異なる極性を有する第１の電極１０及び第２の電極２０が例えば３つ以上含まれた電極群と、電極群のうち１つの第１の電極１０及び第２の電極２０にそれぞれ備えられる一対の電極リード連結用タブ１４、２４と、電極群を収容するハウジングと、を含んでいても良い。例えば、第１の電極１０は負極に該当し、第２の電極２０は正極に該当しても良い。
【００２４】
フレキシブル電池は、電極リード連結用タブ１４、２４を介して外部に露出する電極リード１６、２６と電気的に連結される構造を有していても良い。
【００２５】
電極リード連結用タブ１４、２４は、電極群の第１の末端（例えば、図１において左側）に位置するよう第１の電極１０及び第２の電極２０にそれぞれ備えられても良い。具体的に、電極群のうち１つの第１の電極１０の第１の末端に第１の電極リード連結用タブ１４が備えられ、第２の電極２０の第１の末端に第２の電極リード連結用タブ２４が備えられても良い。
【００２６】
電極リード連結用タブ１４、２４を含む第１の電極１０及び第２の電極２０は、電極群内において単数で存在しても良い。例えば、第１の電極リード連結用タブ１４が備えられた単一の第１の電極１０は、フレキシブル電池の電極群の最外郭に配置され、第２の電極リード連結用タブ２４が備えられた単一の第２の電極２０は、単一の第１の電極の内側に一体的に対面して配置されても良い。
【００２７】
フレキシブル電池を構成する電極群の第２の末端（例えば、図１において右側）には、電極並列連結用タブ１２、２２が備えられても良い。具体的に、電極群内の第１の電極１０の第２の末端に第１の電極並列連結用タブ１２が備えられ、第２の電極２０の第２の末端に第２の電極並列連結用タブ２２が備えられても良い。電極リード連結用タブ１４、２４及び電極並列連結用タブ１２、２２は、図１乃至図３により例示されたように位置しても良いが、これに限定されるものではなく、技術的に許容可能な範囲内で変更が可能である。
【００２８】
電極群の第２の末端に備えられた電極並列連結用タブ１２、２２は、電極群を構成する第１の電極１０及び第２の電極２０のそれぞれを同じ極同士で連結しても良い。例えば、図３を参照すると、１つ以上の第１の電極１０及び１つ以上の第２の電極２０を含む電極群において、各第１の電極１０の第２の末端に備えられた第１の電極並列連結用タブ１２は、図３の図面符号３００のように複数の第１の電極１０を電気的に連結し、各第２の電極２０の第２の末端に備えられた第２の電極並列連結用タブ２２は、図３の図面符号３０２のように複数の第２の電極２０を電気的に連結しても良い。つまり、複数の第１の電極１０と複数の第２の電極２０とは、各電極と連結された電極並列連結用タブによって電気的に並列連結されても良い。
【００２９】
上述した電極群のうち何れか１つの第１の電極１０及び何れか１つの第２の電極２０には、電極リード連結用タブ１４、２４及び電極並列連結用タブ１２、２２が両側に離隔して配置されても良い。例えば、フレキシブル電池の電極群において何れか一方の最外郭に配置された第１の電極１０及び第１の電極１０に隣接して対面する第２の電極２０のそれぞれは、電極リード連結用タブと電極並列連結用タブとを何れも有するように構成されても良い。言い換えれば、フレキシブル電池の電極群のうち何れか一方の最外郭に配置された第１の電極１０は、第１の末端部に第１の電極リード連結用タブ１４が備えられ、第２の末端部には第１の電極並列連結用タブ１２が共に備えられても良い。また、最外郭に配置された第１の電極１０に隣接して対面する第２の電極２０は、第１の末端に第２の電極リード連結用タブ２４が備えられ、第２の末端には第２の電極並列連結用タブ２２が共に備えられても良い。
【００３０】
電極群は、第１の末端において複数の第１の電極及び第２の電極が互いに非結合となっているが、第２の末端において電極並列連結用タブ１２、２２によって同じ電極同士が結合されている。つまり、電極群は、第１の末端において同じ電極同士が結合されておらず、非固定となっており、第２の末端において電極並列連結用タブによって同じ電極同士が結合されることで固定されている。具体的に、電極群をなす複数の第１の電極１０及び第２の電極２０が第２の末端の電極並列連結用タブ１２、２２を介して連結されるので、電極群の第１の電極及び第２の電極は、第２の末端において電極並列連結用タブ１２、２２を１８０度折り曲げて電極群の最外郭に固定しても良い。これにより、本願発明のフレキシブル電池が外力によって曲げられる場合、フレキシブル電池の第２の末端よりも第１の末端において内部電極の誤整列、離脱などの問題が生じる可能性が高い。このような問題を解決するために、本願発明は、フレキシブル電池の第１の末端に位置する第１の非対面部と第２の末端に位置する第２の非対面部との相対的な長さを設計する方法を提案することとする。
【００３１】
図４ａ乃至図４ｂ及び図５は、本発明の一実施例に係る、電極群の構造及びフレキシブル電池の生成条件を説明するための図である。
【００３２】
図４ａ乃至図５を共に検討すると、第１の電極１０は、第１の集電体４００と、第１の集電体４００の表面に形成された第１の活物質層４０２と、を含んでいても良い。例えば、第１の活物質層４０２は、リチウムイオンに関する負極活物質を含み、かかる負極活物質は、結晶質又は非晶質の炭素、炭素繊維、又は炭素複合体の炭素系負極活物質、スズ化合物、これらをリチウム化したもの、リチウム、リチウム合金、及びこれらの混合物により構成された群から選択されても良い。しかし、本発明は前記負極活物質に種類が限定されるものではない。
【００３３】
第２の電極２０は、第２の集電体４０８と、第２の集電体４０８の両側の表面に形成された第２の活物質層４０６と、を含んでいても良い。ここで、第２の活物質層４０６は、リチウムイオンに関する正極活物質を含み、かかる正極活物質の代表的な例としては、ＬｉＣｏＯ２、ＬｉＮｉＯ２、ＬｉＮｉＣｏＯ２、ＬｉＭｎＯ２、ＬｉＭｎ２Ｏ４、ＬｉＦｅＰＯ４、Ｖ２Ｏ５、Ｖ６Ｏ１３又はＬｉＮｉ１−ｘ−ｙＣｏｘＭｙＯ２（０≦ｘ≦１、０≦ｙ≦１、０≦ｘ＋ｙ≦１、ＭはＡｌ、Ｓｒ、Ｍｇ、Ｌａなどの金属）のようなリチウム−遷移金属酸化物を使用しても良い。しかし、本発明においては、前記正極活物質以外に他の種類の正極活物質を使用することももちろん可能である。
【００３４】
第１の電極１０は、第１の電極リード連結用タブ１４と、第１の電極並列連結用タブ１２と、を含んでいても良い。具体的に、第１の集電体４００及び第１の活物質層４０２により構成された第１の電極１０において、第１の集電体４００のうち第１の活物質層４０２が塗布されていない部分を第１の末端で第１の電極リード連結用タブ１４と定義し、第２の末端で第１の電極並列連結用タブ１２と定義しても良い。
【００３５】
第２の電極２０は、第２の電極リード連結用タブ２４と、第２の電極並列連結用タブ２２と、を含んでいても良い。具体的に、第２の集電体４０８及び第２の活物質層４０６により構成された第２の電極２０において、第２の集電体４０８のうち第２の活物質層４０６が塗布されていない部分を第１の末端で第２の電極リード連結用タブ２４と定義し、第２の末端で第２の電極並列連結用タブ２２と定義しても良い。この場合、第１の活物質層４０２は、第２の活物質層４０６に対して隣接して離隔配置されても良い。
【００３６】
つまり、電極リード連結用タブ及び電極並列連結用タブは、各電極の集電体の一部として備えられており、各電極の集電体において活物質が塗布されていない領域を意味しても良い。
【００３７】
フレキシブル電池は、第１の電極１０と、第２の電極２０と、イオン伝達媒体の役割をする電解質と、を含み、第１の電極１０及び第２の電極２０を物理的に離隔する分離膜３０をさらに含んでいても良い。例えば、フレキシブル電池が第１の電極１０、第２の電極２０、及び分離膜３０をハウジングする外装材を含む場合、フレキシブル電池の生産工程過程で外装材内に電解質を注入することによって、第１の電極１０、第２の電極２０、及び分離膜３０のそれぞれの間に電解質を位置させることができる。このとき、分離膜３０は、電解質に該当する電解液に含まれたイオンを通過させる機能を果たしても良い。
【００３８】
一方、第１の活物質層４０２の厚さＴ（Ａ）は、第２の活物質層４０６の厚さＴ（Ｃ）よりも大きくなるように製作されたり、第１の活物質層４０２の面積は、隣接して対面する第２の活物質層４０６の面積よりも大きくなるように製作されても良い。フレキシブル電池の電極厚さは、集電体の種類、厚さと第１の活物質層４０２と第２の活物質層４０６のＮ／Ｐ比の設計によって流動的に決定する。また、かかる活物質層の厚さは、活物質及び導電材などの粒子サイズ、密度、ｐＨなどの材料特性と組成比に応じて変わっても良い。
【００３９】
例えば、第１の電極１０における第１の集電体４００の表面に塗布された第１の活物質層４０２の面積（又は厚さ）は、隣接して対面する第２の電極２０における第２の集電体４０８の表面に塗布された第２の活物質層４０６の面積（又は厚さ）よりも大きく製作されても良い。
【００４０】
このように、第１の活物質層４０２の厚さＴ（Ａ）（又は面積）を第２の活物質層４０６の厚さＴ（Ｃ）（又は面積）よりも大きく製作することによって、第１の電極１０でのリチウム析出を予防し、電池の使用安全性を高めることができる。
【００４１】
電極リード連結用タブ１４、２４は、末端の上面又は下面において電極リード１６、２６と一部が結合されても良い。具体的に、電極リード１６、２６は、電極リード連結用タブ１４、２４の一部と並んで配置した状態で、電極リード１６、２６の一部と電極リード連結用タブ１４、２４の一部とが重なるように溶着されても良い。
【００４２】
第１の電極１０の第１の活物質層４０２は、第１の末端において第２の活物質層４０６に対して第１の非対面部４１０を有し、第１の末端の反対側である第２の末端において第２の活物質層４０６に対して第２の非対面部４１２を有していても良い。ここで、第１の非対面部４１０の最短長さＬ（Ａ）は、第２の非対面部４１２の最短長さＬ（Ｂ）以上となるように製作されても良い。
【００４３】
一方、既存のフレキシブル電池の場合、外部から曲げや拗じれなどの外力が繰り返して与えられる。このとき、電極群の内部よりは相対的に外装材と電極群の間の外部空間に露出している第１の電極１０と第２の電極２０の縁間の整列がずれやすく、第１の電極１０と第２の電極２０のずれによってリチウムが析出されるといった問題が生じることになる。また、リチウムの析出によりフレキシブルの容量及び効率が低下し、結局は析出されたリチウムの成長によって分離膜３０が損傷し、フレキシブル電池の内部短絡が起こることで電池の安全性が低下し得る。
【００４４】
それを解決するために、本発明は、外力が与えられていない（生成初期）状態で第１の非対面部４１０の最短長さＬ（Ａ）を第２の非対面部４１２の最短長さＬ（Ｂ）以上となるように設計することによって、フレキシブル電池に外力が与えられた際、電池内の構成要素が離脱する問題と、第１の電極１０と第２の電極２０間の誤整列による短絡の問題、及びリチウム析出の問題を事前に防止することができる。特に、本願発明のフレキシブル電池においては、電極並列連結用タブ１２、２２間の結合及び結合部の１８０度折り曲げによって固定されている電極群の第２の末端よりも、非固定となっている電極群の第１の末端において内部電極の誤整列、離脱などによりフレキシブル電池の内部物質が析出される可能性が高い。従って、本願発明は、内部物質が析出されやすい第１の末端における第１の非対面部４１０の長さを第２の非対面部４１２の長さ以上に設計してフレキシブル電池を生成しようとする。
【００４５】
図４ｂのように、本願発明のフレキシブル電池が外力により第１の末端及び第２の末端が下に向けて曲げられたと仮定する。この場合、フレキシブル電池の第２の末端では電極並列連結用タブ１２、２２により各電極が固定されているため、フレキシブル電池が屈曲しても第２の非対面部４１２の長さ収縮が発生せず、そのまま維持されることができる。しかし、フレキシブル電池の第１の非対面部４１０は、各電極が固定されていないため、フレキシブル電池を屈曲させるにつれて第１の非対面部４１０の長さが収縮する。そして、フレキシブル電池がさらに屈曲することで第１の非対面部４１０が徐々になくなり、これにより第２の電極２０の第２の活物質層４０６が外部に露出することによってリチウムが析出され得る。本願発明は、このような問題を予防するために、第１の末端における第１の非対面部４１０の長さを第２の非対面部４１２の長さ以上に設計しても良い。
【００４６】
本発明の一実施例において、第１の非対面部４１０の最短長さＬ（Ａ）が第２の非対面部４１２の最短長さＬ（Ｂ）よりも大きい場合、フレキシブル電池の電極群が第２の末端において電極並列連結用タブ１２、２２により固定されているため、フレキシブル電池が曲げられても第２の末端における内部電極の誤整列、離脱などが容易に発生することはない。しかし、このような問題が発生しやすい電極群の第１の末端は、予め設定された閾値以上に設定された第１の非対面部４１０によって第１の末端における第２の電極２０又は第２の電極２０の第２の活物質層４０６が第１の電極１０の外側に露出することを防止することができる。例えば、予め設定された閾値は、本願発明のフレキシブル電池が屈曲するにつれて曲率半径により第２の電極の第２の活物質層が第１の電極の第１の活物質層の外側に露出しないようにする最小限の臨界長さであり、約０．１ｍｍであることを意味する。これにより、リチウム析出を事前に予防し、フレキシブル電池の性能及び安全性を高めることができる。
【００４７】
つまり、図４ｂのように、フレキシブル電池が一定曲率で曲げられる場合、曲率中心から遠くなるほど第１の非対面部４１０の長さは短くなる。それを考慮し、フレキシブル電池が曲げられるにつれて第２の電極２０が第１の電極１０の外側に露出することを防止するために、第１の非対面部４１０が短くなっても第１の非対面部４１０は予め設定された閾値以上が残るように設計しても良い。
【００４８】
上述した例と本発明の他の実施例において、第１の非対面部４１０の最短長さＬ（Ａ）と第２の非対面部４１２の最短長さＬ（Ｂ）とが同一である場合、第１の非対面部４１０の最短長さＬ（Ａ）及び第２の非対面部４１２の最短長さＬ（Ｂ）を予め設定された長さ値以上に設計しても良い。
【００４９】
第１の非対面部４１０の最短長さＬ（Ａ）、第２の非対面部４１２の最短長さＬ（Ｂ）及びこれに対する予め設定された長さ値に関し、第１の活物質層４０２は、電極群の両側面において第２の活物質層４０６に対して第３の非対面部（未図示）を有していても良い。第３の非対面部（未図示）は、電極群の両端ではなく第１の電極１０及び第２の電極２０間の左右幅に該当する領域を意味する。図５を参照すると、第１の非対面部４１０の最短長さＬ（Ａ）及び第２の非対面部４１２の最短長さＬ（Ｂ）は、第３の非対面部（未図示）の最短長さｄ，ｄ’以上に設計しても良い。つまり、予め設定された長さ値は、第３の非対面部（未図示）の最短長さｄ，ｄ’に該当する値に設定／設計されても良い。もし、第３の非対面部（未図示）の最短長さｄ，ｄ’が第１の非対面部４１０の最短長さＬ（Ａ）及び第２の非対面部４１２の最短長さＬ（Ｂ）よりも大きく設計されれば、当該長さに応じた面積だけフレキシブル電池の容量において損することになる。これにより、本願発明は、第１の非対面部４１０の最短長さＬ（Ａ）及び第２の非対面部４１２の最短長さＬ（Ｂ）を第３の非対面部の最短長さｄ，ｄ’以上に設計することで、フレキシブル電池の容量損失を最小化することができる。一方、フレキシブル電池の第１の電極１０及び第２の電極２０間の積層の際、電極群の両側面における第３の非対面部の最短長さｄ，ｄ’は、互いに同一或いは互いに異なるように設計されても良い。
【００５０】
図６は、本発明の一実施例に係る、フレキシブル電池を製造する方法を示すフローチャートである。
【００５１】
図６を参照すると、ステップＳ６０１において、第１の電極１０及び第２の電極２０を含むように電極群を形成しても良い。ここで、第１の電極１０は、第１の集電体４００と、第１の集電体４００の表面に形成された第１の活物質層４０２と、を含み、第２の電極２０は、第２の集電体４０８と、第２の集電体４０８の表面に形成された第２の活物質層４０６と、を含んでいても良い。第１の活物質層４０２は、第１の末端において第２の活物質層４０６に対して第１の非対面部４１０を有し、第１の末端の反対側である第２の末端において第２の活物質層４０６に対して第２の非対面部４１２を有していても良い。
【００５２】
ステップＳ６０３において、電極群の第１の末端において第１の電極１０及び第２の電極２０にそれぞれ接続されるよう一対の電極リード１６、２６を連結しても良い。
【００５３】
ステップＳ６０５において、電極群をハウジングに収容しても良い。
【００５４】
図面に記載されていないが、本願発明は、第１の非対面部４１０の最短長さを第２の非対面部４１２の最短長さ以上に設計する工程をさらに行っても良い。
【００５５】
上述した説明において、ステップＳ６０１乃至Ｓ６０５は、本発明の具現例によって追加のステップにさらに分割されたり、より少ないステップに組み合わせられても良い。また、一部のステップは必要に応じて省略されても良く、ステップ間の手順が変更されても良い。
【００５６】
上述した本発明の説明は例示のためのものであり、本発明の属する技術分野において通常の知識を有する者であれば、本発明の技術的思想や必須の特徴を変更せずに他の具体的な形態に容易に変形可能であるということを理解できるはずである。それゆえ、上記した実施例は全ての面において例示的なものであり、限定的なものではないと理解すべきである。例えば、単一型で説明されている各構成要素は分散して実施されても良く、同様に、分散したものと説明されている構成要素も結合された形態で実施されても良い。
【００５７】
本発明の範囲は、詳細な説明よりは後述する特許請求の範囲によって示され、特許請求の範囲の意味及び範囲、並びにその均等概念から導出される全ての変更又は変形された形態が本発明の範囲に含まれると解釈されなければならない。
【図１】
2021517722.tif 000003
【図２】
2021517722.tif 000004
【図３】
2021517722.tif 000005
【図４ａ】
2021517722.tif 000006
【図４ｂ】
2021517722.tif 000007
【図５】
2021517722.tif 000008
【図６】
2021517722.tif 000009
【国際調査報告】
2021517722.tif 000010
2021517722.tif 000011
2021517722.tif 000012
2021517722.tif 000013